(57)【要約】【課題】検出信号の切替位置の細かな位置設定の必要がなく、遊技進行に支障をきたすことなく、不正行為の発生を抑えることが可能な遊技機を提供する。【解決手段】前扉14が規定位置より開放側にある場合、当該開放側の少なくとも一部の場所において、付勢手段130の付勢力により前扉14が開放方向に付勢され、前扉14が規定位置より閉鎖側にある場合、前扉14が閉鎖された閉鎖位置から規定位置までの間の少なくとも一部である特別範囲において、付勢手段130の付勢力により前扉14が閉鎖方向に付勢され、特別範囲では、前扉14が閉鎖位置から規定位置へ移動するにつれて、付勢手段130の付勢力を漸増させるように形成されていることを特徴とする。【選択図】図７
2019097679.tif 000002
【特許請求の範囲】
【請求項１】
遊技機において、筐体と、前記筐体の正面側を開閉可能な前扉と、
前記前扉の開閉に応じた規定位置で検出信号の切り替えが可能な扉開閉センサと、
前記検出信号の切り替わりを基に、前記前扉の開放を報知する報知手段と、
前記前扉に対して、付勢力を与える付勢手段とを備え、
前記前扉が前記規定位置より開放側にある場合、当該開放側の少なくとも一部の場所において、前記付勢手段の付勢力により前記前扉が開放方向に付勢され、
前記前扉が前記規定位置より閉鎖側にある場合、前記前扉が閉鎖された閉鎖位置から前記規定位置までの間の少なくとも一部である特別範囲において、前記付勢手段の付勢力により前記前扉が閉鎖方向に付勢され、
前記特別範囲では、前記前扉が前記閉鎖位置から前記規定位置へ移動するにつれて、前記付勢手段の付勢力を漸増させるように形成されていることを特徴とする遊技機。
【請求項２】
前記前扉又は前記筐体のうちいずれか一方には、周囲に傾斜面を有して前記筐体側に延びるバーが設けられ、
前記扉開閉センサは、前記前扉又は前記筐体のうち他方に設けられ、
前記前扉の開閉に応じて前記バー又は前記扉開閉センサが移動し前記扉開閉センサは当該移動を検出することで検出信号の切り替えが可能に形成され、
前記前扉と前記筐体とのうち前記バーを設けていない方には、前記前扉の開閉に応じて前記バーの前記傾斜面に接触することで前記付勢手段により進退可能な突出片が設けられ、
前記突出片と前記バーとの接触位置が所定の位置となることで前記検出信号が切り替わるように形成され、
前記突出片と前記バーとの接触位置が前記所定の位置より前記前扉の開放側にある場合、当該開放側の少なくとも一部の場所において、前記付勢手段による付勢力に基づく力の作用方向は、前記前扉の開放方向となり、
前記突出片と前記バーとの接触位置が前記所定の位置より前記前扉の閉鎖側にある場合、当該閉鎖側の少なくとも一部の場所において、前記付勢手段による付勢力に基づく力の作用方向は、前扉の閉鎖方向となるように形成されていることを特徴とする請求項１に記載の遊技機。
【請求項３】
前記バーの長手方向の表面には、
前記バーの先端側から基端側に向かって第１位置、第２位置、第３位置の順に配置されると共に、
前記傾斜面として前記第１位置及び前記第２位置を含む第１傾斜面と前記第２位置及び前記第３位置を含む第２傾斜面とが設けられ、
前記バーの上端面からの距離は、前記第１位置、前記第３位置、前記第２位置の順に大きくなるように形成されていることを特徴とする請求項２に記載の遊技機。
【請求項４】
前記付勢手段は、付勢力により、前記突出片を突出させることを特徴とする請求項２又は請求項３に記載の遊技機。
【請求項５】
前記扉開閉センサは、前記突出片が進退することで前記検出信号の切り替えが可能に形成されていることを特徴とする請求項３又は請求項４に記載の遊技機。
【請求項６】
前記規定位置を含む特定範囲では、前記付勢手段の付勢力に基づく力は同一方向に作用することを特徴とする請求項１、２、３、４又は５に記載の遊技機。
【請求項７】
前記前扉が前記規定位置より開放側にある場合、前記規定位置を境として、前記付勢手段の付勢力により前記前扉が開放方向に付勢可能となり、
前記前扉が前記規定位置より閉鎖側にある場合、当該規定位置を境として、前記付勢手段の付勢力により前記前扉が閉鎖方向に付勢可能となることを特徴とする請求項１又は請求項２に記載の遊技機。
【発明の詳細な説明】
【技術分野】
【０００１】
本発明は、スロットマシン等の遊技機に関する。
【背景技術】
【０００２】
スロットマシン等の遊技機は、遊技を実行する遊技用装置を内部に収納するために六面体の四角箱状に形成されるとともに正面側が開口する筐体と、この筐体の正面側の開口を塞ぐ前扉とを備えている。
通常、この筐体と前扉との間には、不正操作の防止等のため、前扉を開いた状態であるか否かを検知して検出信号を出力可能な扉開閉センサが設けられている。
さらに、従来技術として、この扉開閉センサの周囲に扉開閉センサ自体に対しての不正操作を防止するために所定高さの周壁が立設形成されているものがある（例えば特許文献１）。
【先行技術文献】
【特許文献】
【０００３】
【特許文献１】特開２０１３−９４５５６号公報
【発明の概要】
【発明が解決しようとする課題】
【０００４】
しかし、従来の技術において、前扉が閉まっているか否かの閾値の位置設定に細かな位置設定が必要となってくる。具体的には前扉が閉まっているか否かの閾値を超えて前扉が開放したことが検出されるとエラー状態となりエラー報知が行われ、その時点で遊技の進行ができなくなる。それを踏まえて前扉が閉まっているか否かの閾値となるセンサの検出信号の切替位置を前扉が開放されている状態から閉鎖されている状態のどこかに設定する必要があるが、前扉の閉鎖位置に検出信号の切替位置が近すぎると、振動等によるチャタリングで検出信号の切替位置を超えて正常状態でも頻繁に遊技が止められる恐れがあり、通常の遊技進行に支障をきたす。反対に検出信号の切替位置が開放状態に寄りすぎると隙間が発生している状態でもその状態が検出されないことになり不正行為を防げない恐れがあるという問題点がある。
そのために従来は検出信号の切替位置の設定にこれらを考慮した非常に細かな位置設定をする必要があった。
【０００５】
本発明は、上述したような検出信号の切替位置の細かな位置設定の必要がなく、遊技進行に支障をきたすことなく、不正行為の発生を抑えることが可能な遊技機を提供することを目的とする。
【課題を解決するための手段】
【０００６】
本発明に係る遊技機10は、次の点を特徴とする。すなわち、筐体12と、前記筐体12の正面側を開閉可能な前扉14と、前記前扉14の開閉に応じた規定位置で検出信号の切り替えが可能な扉開閉センサ110と、前記検出信号の切り替わりを基に、前記前扉14の開放を報知する報知手段120と、前記前扉14に対して、付勢力を与える付勢手段130（具体的には、バネ140）とを備え、前記前扉14が前記規定位置より開放側にある場合、当該開放側の少なくとも一部の場所において、前記付勢手段130の付勢力により前記前扉14が開放方向に付勢され、前記前扉14が前記規定位置より閉鎖側にある場合、前記前扉14が閉鎖された閉鎖位置から前記規定位置までの間の少なくとも一部である特別範囲において、前記付勢手段130の付勢力により前記前扉14が閉鎖方向に付勢され、前記特別範囲では、前記前扉14が前記閉鎖位置から前記規定位置へ移動するにつれて、前記付勢手段130の付勢力（具体的には例えば図７の上方向白抜き矢印の力）を漸増させるように形成されていることを特徴とする。
【０００７】
本発明では、扉開閉センサ110が、前扉14の開閉に応じて規定位置で検出信号の切り替え可能である。
【０００８】
更に、前扉14が規定位置より開放側にある場合、開放側の一部において、付勢手段130による付勢力の作用方向が前扉14の開放方向となり、前扉14が規定位置より閉鎖側にある場合、閉鎖側の一部である特別範囲において、付勢手段130による付勢力の作用方向が前扉14の閉鎖方向となる。
すなわち、前扉14が規定位置より開放側にある場合、開放側の一部においては、前扉14に対して扉開閉センサ110の切り替え位置である規定位置を超えづらく、近づき難くしている。
また、前扉14が開放側から閉鎖側に向かって規定位置を超えた後の特別範囲においては、前扉14の閉鎖方向に付勢されることで、前扉14を規定位置付近に留まり難くしている。
これにより、半ドアの状態で止めることが容易ではなく、半ドアで止めた状態での不正行為の発生を抑えることができる。
【０００９】
また、前扉14が規定位置より閉鎖側にある場合、前扉14が閉鎖位置から規定位置までの少なくとも一部である特別範囲では、付勢手段130の付勢力により前扉14が閉鎖方向に付勢されることで、前扉14を規定位置へ移動し難くしている。
これにより、振動等によるチャタリングの発生を抑えることができ、正常状態でも頻繁に遊技が止められる恐れがなく、通常の遊技進行に支障をきたすようなことを抑えることができる。
【００１０】
さらに、特別範囲では、前扉14が閉鎖位置から規定位置へ移動するにつれて、付勢手段130の付勢力を漸増させる。
これにより、特別範囲では、前扉14を閉鎖位置から規定位置へ移動させるにつれて、前扉14を閉鎖方向に付勢する力を漸増させることになる。すなわち、特別範囲では、前扉14を閉鎖位置から規定位置へ移動させるにつれて、規定位置へ前扉14を近づけるほど、前扉14を元の閉鎖位置へ戻そうとする付勢力が漸増し、規定位置へ近づけることをより難しくすることができる。
【００１１】
また、本発明に係る遊技機10は、さらに、前記前扉14又は前記筐体12のうちいずれか一方には、周囲に傾斜面170を有して前記筐体12側に延びるバー160が設けられ、前記扉開閉センサ110は、前記前扉14又は前記筐体12のうち他方に設けられ、前記前扉14の開閉に応じて前記バー160又は前記扉開閉センサ110が移動し前記扉開閉センサ110は当該移動を検出することで検出信号の切り替えが可能に形成され、前記前扉14と前記筐体12とのうち前記バー160を設けていない方には、前記前扉14の開閉に応じて前記バー160の前記傾斜面170に接触することで前記付勢手段130により進退可能な突出片200が設けられ、前記突出片200と前記バー160との接触位置が所定の位置となることで前記検出信号が切り替わるように形成され、前記突出片200と前記バー160との接触位置が前記所定の位置より前記前扉14の開放側にある場合、当該開放側の少なくとも一部の場所において、前記付勢手段130による付勢力に基づく力（具体的には例えば分力Ｆ）の作用方向は、前記前扉14の開放方向となり、前記突出片200と前記バー160との接触位置が前記所定の位置より前記前扉14の閉鎖側にある場合、当該閉鎖側の少なくとも一部の場所（具体的には例えば第２位置P〜第３位置Tの傾斜面170）において、前記付勢手段130による付勢力に基づく力（具体的には例えば分力Ｆ）の作用方向は、前扉14の閉鎖方向となるように形成されていることを特徴とする。
【００１２】
本発明では、扉開閉センサ110が、前扉14の開閉に応じて規定位置で検出信号の切り替え可能である。
また、突出片200とバー160との接触位置が所定の位置となることで検出信号が切り替わるように形成されている。
すなわち、前扉14が規定位置にあるときに、突出片200とバー160との接触位置が所定の位置にあることになる。
ここで、「所定の位置」とは、扉開閉センサ110の検出信号が切り替わるときの突出片200とバー160との接触位置を意味する。具体的には、後述する図５に示すようにＡ点とＢ点とが縦方向に揃ったときの、突出片200とバー160の表面の第１位置Qとが接触している位置を示している。
【００１３】
更に、突出片200とバー160との接触位置が検出信号の切替位置である所定の位置より開放側にある場合、開放側の少なくとも一部の場所において、付勢手段130による付勢力に基づく力の作用方向が前扉14の開放方向となる（後述する図４参照）。
突出片200とバー160との接触位置が検出信号の切替位置である所定の位置より前扉14の閉鎖側にある場合、閉鎖側の少なくとも一部の場所において、付勢手段130による付勢力に基づく力の作用方向が前扉14の閉鎖方向となる（後述する図７参照）。
【００１４】
すなわち、突出片200とバー160との接触位置が検出信号の切替位置である所定の位置より開放側にある場合、少なくとも一部の場所において、所定の位置を超えづらく、近づき難くしている。
これにより、半ドアの状態で止めることが容易ではなく、半ドアで止めた状態での不正行為の発生を抑えることができる。
【００１５】
また、突出片200とバー160との接触位置が検出信号の切替位置である所定の位置より閉鎖側にある場合、その閉鎖側の少なくとも一部の場所において、付勢手段130の付勢力に基づく力の作用方向が、前扉14の閉鎖方向となることで、規定位置付近に移動し難くなるようにしている。
これにより、振動等によるチャタリングで検出信号の切替位置を超えて正常状態でも頻繁に遊技が止められる恐れがなく、通常の遊技進行に支障をきたすようなことを抑えることができる。
【００１６】
また、本発明に係る遊技機10は、さらに、前記バー160の長手方向の表面には、前記バー160の先端側から基端側に向かって第１位置Q（検出信号の切替位置）、第２位置P、第３位置Tの順に配置されると共に、前記傾斜面170として前記第１位置Q及び前記第２位置Pを含む第１傾斜面180と前記第２位置P及び前記第３位置Tを含む第２傾斜面190とが設けられ、前記バー160の上端面161からの距離は、前記第１位置Q、前記第３位置T、前記第２位置Pの順に大きくなるように形成されていることを特徴とする。
【００１７】
本発明では、第１傾斜面180では、バー160の先端から基端側に向かってバー160の上端面161からの距離が大きくなる方向に傾斜していることになる。したがって、前扉14を閉鎖方向に移動させると突出片200は、第１傾斜面180において、バー160の上端面161から離れる方向に移動する。
【００１８】
一方、第２傾斜面190では、バー160の先端から基端側に向かってバー160の上端面161からの距離が小さくなる方向に傾斜していることになる。したがって、前扉14を閉鎖方向に移動させると突出片200は、第２傾斜面190において、バー160の上端面161から近づく方向に移動する。
【００１９】
また、本発明に係る遊技機10は、さらに、前記付勢手段130は、付勢力により、前記突出片200を突出させることを特徴とする。
【００２０】
本発明では、第１傾斜面180では、バー160の先端から基端側に向かってバー160の上端面161からの距離が大きくなる方向に傾斜していることになる。バー160の第１傾斜面180に突出片200が当接すると、この当接した箇所では付勢手段130による付勢力に基づく力は、前扉14の開放方向となる。これにより、第１傾斜面180に突出片200が当接すると付勢力により前扉14を開放方向に押すことができる。
【００２１】
また、第２傾斜面190では、バー160の先端から基端側に向かってバー160の上端面161からの距離が小さくなる方向に傾斜していることになる。バー160の第２傾斜面190に突出片200が当接すると、この当接した箇所では付勢手段130による付勢力に基づく力は、前扉14の閉鎖方向となる。これにより、第２傾斜面190に突出片200が当接すると付勢力により前扉14を閉鎖方向に押すことができる。
【００２２】
また、本発明に係る遊技機10は、さらに、前記扉開閉センサ110は、前記突出片200が進退することで前記検出信号の切り替えが可能に形成されていることを特徴とする。
【００２３】
本発明では、前扉14を閉鎖方向に移動させると、傾斜面170（第１傾斜面180又は第２傾斜面190）において、突出片200を進退させ、検出信号の切り替えが可能となる。
【００２４】
また、本発明に係る遊技機10は、さらに、前記規定位置を含む特定範囲では、前記付勢手段130の付勢力（図４、図５、図６の上方向白抜き矢印の力）に基づく力（図４、図５,図６の水平方向分力Ｆ）は同一方向に作用することを特徴とする。
【００２５】
ここで、「規定位置」とは、前扉14の開閉に応じて扉開閉センサ110の検出信号の切り替えが可能な位置であって、前扉14が後述する図５に示されるような位置にあるものであり、突出片200とバー160との接触位置が第１位置Qにある状態の前扉の位置を意味する。
また、ここで、「規定位置を含む特定範囲」とは、後述する図４〜図６に示すように、
突出片200とバー160との接触位置が第４位置S〜第２位置P（具体的には、第４位置S〜第１位置Q〜第２位置P）の範囲にあるものである。
【００２６】
本発明では、規定位置を含む特定範囲では、付勢手段130の付勢力に基づく力が同一方向に作用する。すなわち、扉開閉センサ110の検出信号の切り替えが行われる規定位置の前後で付勢手段130の付勢力が切り替わることなく同一方向となる。これにより、検出信号の切替が行われる規定位置の前後で付勢手段130による付勢力の方向が切り替わるようなものと比較して検出信号の切り替えをスムーズに行うことができ、規定位置前後で振動等により検出信号の切り替えが頻繁に発生するようないわゆるチャタリングの発生を抑えることができる
【００２７】
また、本発明に係る遊技機10は、さらに、前記前扉14が前記規定位置より開放側にある場合、前記規定位置を境として、前記付勢手段130の付勢力により前記前扉14が開放方向に付勢可能となり、前記前扉14が前記規定位置より閉鎖側にある場合、当該規定位置を境として、前記付勢手段130の付勢力により前記前扉14が閉鎖方向に付勢可能となることを特徴とする。
本発明は、後述する図９〜図１１に示すようなものが含まれる。
【００２８】
本発明では、規定位置を境として、前扉14が開放側にある場合は、付勢手段130の付勢力が前扉14を開放方向に付勢し、前扉14が閉鎖側にある場合は、付勢手段130の付勢力が前扉14を閉鎖方向に付勢する。
このように、前扉14が規定位置より閉鎖側にある場合には、前扉14を規定位置付近で留まり難くすることができ、振動等によるチャタリングで検出信号の切替位置を超えて正常状態でも頻繁に遊技が止められる恐れがなく、通常の遊技進行に支障をきたすようなことを抑えることができる。
また、半ドアの状態で止めることが容易ではなく、半ドアで止めた状態での不正行為の発生を抑えることができる。
【図面の簡単な説明】
【００２９】
【図１】本発明の第１の実施の形態であって、遊技機を示す外観正面図である。
【図２】本発明の第１の実施の形態であって、バー及び扉開閉センサの取り付け位置を示す遊技機の側面図である。
【図３】本発明の第１の実施の形態であって、前扉が規定位置より開放側にある状態を示す説明図である。
【図４】本発明の第１の実施の形態であって、前扉が規定位置より開放側にある状態を示す説明図である。
【図５】本発明の第１の実施の形態であって、前扉が規定位置にあるときの状態を示す説明図である。
【図６】本発明の第１の実施の形態であって、前扉が規定位置より閉鎖側にある状態を示す説明図である。
【図７】本発明の第１の実施の形態であって、前扉が規定位置より閉鎖側にある状態を示す説明図である。
【図８】本発明の第１の実施の形態であって、前扉が規定位置より閉鎖側にある状態であって閉鎖位置にある状態を示す説明図である。
【図９】本発明の第２の実施の形態であって、扉開閉センサとバーとが一体となって、バーと前扉とが勘合可能になっているものを示す説明図である。
【図１０】本発明の第２の実施の形態であって、（Ａ）〜（Ｂ）は、図９に示すバーが前扉に押されて扉開閉センサの開口の中に押し込まれていく状態を示す説明図である。
【図１１】本発明の第３の実施の形態であって、前扉に固定されたバーの半円状の斜面に突出片が当接可能であると共に突出片とは別に扉開閉センサを設けたものを示す説明図である。
【発明を実施するための形態】
【００３０】
（第１の実施の形態）
本明細書では、各説明箇所において、方向についての定義等が示されていない場合には、遊技機10の正面に向かって位置している遊技者、すなわち、当該遊技機10の前に設置してある椅子に座っている遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技機10の前に座っている遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００３１】
本実施の形態に係る遊技機10としてのスロットマシンを、以下、図１を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００３２】
前扉14は正面から向かって左縁側が回動可能に軸支され、軸支された状態で前扉14の右側を手前側に開くことができるように形成されている。
【００３３】
前扉14の上部には、薄板樹脂からなる上パネル20を備えている。この上パネル20の略中央には、３個のリール62（正面から向かって左側の左リール64、中央の中リール66、右側の右リール68）の円周上の図柄61を見ることができる透過可能な図柄表示窓部16が形成されている。この図柄表示窓部16は、３個全てのリール62の回転が停止した際には、縦３列横３行に配置した合計９個の図柄61を遊技者に見せるように形成されている。この図柄表示窓部16は、リール62の正面側に設けられて、リール62の回転が停止した際、後述する有効ライン86上に停止している複数の図柄61を視認するためのものである。リール62は、複数の図柄61を図柄表示窓部16を介して変動表示可能なものである。
【００３４】
前記図柄表示窓部16の後方向（奥方向）には、３個のステッピングモータ（図示せず）と、この各ステッピングモータによってそれぞれ回転させられる合計３個の前記リール62と、前記ステッピングモータ及び前記リール62を保持するユニットホルダ（図示せず）とを有するリールユニット60が配置されている。また、リールユニット60には、リール62の回転位置が基準となる位置（基準位置）であることを検出するためのリール位置センサ（図示せず）が設けられている。このステッピングモータ65は、メイン制御手段（図示せず）から出力されるステッピングモータを駆動するための駆動信号に基づき駆動する。
【００３５】
前記図柄表示窓部16の下方には、クレジットメダルの貯留枚数であるクレジットメダル枚数を表示するクレジット表示器87と、このクレジット表示器87の左側に配置され、遊技機10から払い出されたメダルの総数を表示する払出枚数表示器88とが設けられている。これらの表示器は、２個の７セグメントＬＥＤ表示器で構成されている。７セグメントＬＥＤ表示器は、１０進法のアラビア数字等の１文字を表現するために、それぞれ個別に点灯・消灯が可能な７つのセグメント（ＬＥＤ）から構成されているものである。２個の７セグメントＬＥＤ表示器を有することにより、クレジット表示器87は２桁の貯留枚数、払出枚数表示器88は２桁の払出枚数が表示可能になっている。
【００３６】
前記前扉14の下部には下パネル22が設けられている。そして、前扉14には下パネル22の上部に位置して前扉14の前方向へ向けて突出する操作部30を備えている。
本実施の形態に係る遊技機10には、遊技開始の条件として投入するためのメダルを後述するメダル投入口38からあらかじめ投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル枚数とする。
前記操作部30の上面右側には、遊技媒体としてのメダルを投入するためのメダル投入口38が設けられている。
【００３７】
筐体12内部であって、前記メダル投入口38の近傍には、メダル投入口38に投入されたメダルが正規のものか否かを選別して、正規のメダルのみをホッパーユニット（図示せず）に導くメダルセレクタ（図示せず）が設けられている。このメダルセレクタには、メダル投入口38に投入されたメダルを１枚ずつ検出する投入センサ（図示せず）が設けられている。
【００３８】
なお、筐体12内部には図示しないメダル通路が設けられており、メダルセレクタにおいて非正規のメダルとして排除されたメダルや、ホッパーユニットから払い出されたメダルが、このメダル通路を通過して後述するメダル払出口28から払い出される。
具体的には、メダルセレクタには、特に図示していないが、電磁石を用いたキャンセルコイルの作動により、メダル投入口38から投入されたメダルをホッパーユニット内に貯留させる通路と、メダル払出口28から後述するメダル受け皿26へ進ませる通路との切り換えが可能に形成されている。これにより、メダル投入口38から投入されたメダルをクレジットメダルとして貯留するか、メダル受け皿26へ払い出すかの切り換えをすることができる。
【００３９】
メダル投入口38の下方には、クレジット機能によりクレジットしたメダルの全てを払い出すための精算スイッチ36が設けられている。
【００４０】
精算スイッチ36の右側には、前扉14の開閉を閉じた状態にロックする鍵部37が設けられている。ホール管理者が有する鍵を当該鍵部37の鍵穴に差し込んで右側に回すとロック状態が解除されて、前扉14を左側の軸支されている箇所を回転中心として前扉を開放方向へ回転可能な状態にすることができる。
なお、鍵を差し込んだ状態で左側に回転させるとリセットスイッチが作動するように形成されている。
【００４１】
前記操作部30の中央には、操作により対応するリール62の回転を停止させるため、３個のリール62のそれぞれに対応する３個のストップスイッチ50が設けられている。このストップスイッチ50は、左リール64を停止させるための左ストップスイッチLと、中リール66を停止させるための中ストップスイッチCと、右リール68を停止させるための右ストップスイッチRとを有している。すなわち、これらのストップスイッチ50は、複数のリール62それぞれに対応して設けられ、複数のリール62の図柄61の変動表示の開始後、遊技者の操作によりリール62の図柄61の変動表示を個別に停止させるためのものである。
【００４２】
このストップスイッチ50の左側には、メダルの投入又は後述するベットスイッチ32の操作を条件にリール62の回転を開始させるためのスタートスイッチ40が設けられている。すなわち、このスタートスイッチ40は、遊技者の操作によりリール62の図柄61の変動表示を開始させるためのものである。
【００４３】
このスタートスイッチ40の上方には、遊技を開始するためのメダルの賭け数を設定するために予め貯留したメダルをベット可能なベットスイッチ32が設けられている。
このスタートスイッチ40の上方には、ベットスイッチ32として、貯留されたメダル枚数（クレジットされたメダル枚数）から最大投入枚数（具体的には３枚）に達するまでのメダル枚数を貯留されたクレジットメダル枚数から減じて最大投入枚数のメダル投入に代えるマックスベットスイッチ34と、クレジットメダル枚数から投入枚数１枚に達するまでのメダル枚数を貯留されたクレジットメダル枚数から減じて１枚のメダル投入に代える１ベットスイッチ35とが設けられている。
【００４４】
このベットスイッチ32の操作により設定された賭け数が規定数に達している状態で、スタートスイッチ40が操作されることにより、当該賭け数が確定するように形成されている。
マックスベットスイッチ34の右側には、所定の演出において遊技者が操作可能なチャンスボタン42が設けられている。
【００４５】
図１に示すように、前記前扉14の裏側であって、前扉14の正面から向かって右側縁部に位置して前扉14に固定されているバー160と、筐体12に固定されて当該バー160の移動を検知することで前扉14の開閉を検知可能な扉開閉センサ110とが配置されている。
【００４６】
扉開閉センサ110は、筐体12の右側縁部に固定されているものであって、前扉14が閉じているか否かを検知するためのものである。この扉開閉センサ110は、前扉14が閉塞している場合に、前扉14の背面から筐体12側に延設されたバー160の下側の傾斜面170に扉開閉センサ110から突出する突出片200が当接して所定の位置より押し下がることでオン状態（ＯＮ状態）となり、前扉14が閉じたことを検知する。また、前扉14が開放するに従って、傾斜面170に沿って突出片200が所定の位置より突出することで、オフ状態（ＯＦＦ状態）となり、前扉14が開いたことを検知する（図３〜８参照）。
扉開閉センサ110は、前扉14の開閉に応じて後述する規定位置で検出信号の切り替えが可能に形成されている。
【００４７】
扉開閉センサ110から出力される検出信号は、遊技機の制御装置により不正操作等の判断処理等の種々の処理に用いられる。
なお、扉開閉センサ110の内部構造は特に図示していないが、接触センサが用いられている。もちろん、検出方法は接触センサに限定されるものではなく、磁気センサや、光センサ等の他のセンサにより突出片200の進退を検出可能なものでもよい。
【００４８】
また、本実施の形態では、検出信号の切り替わりを基に、前扉14の開放を報知する報知手段120としての表示装置84、スピーカー72、演出用ランプ78を有している。なお、これらの表示装置84、スピーカー72、演出用ランプ78は、後述するように演出装置70としても用いられる。
【００４９】
特に図示していないが設定変更スイッチは、電源ユニットの設定キースイッチとともに設定変更を行うためのものである。なお、この設定変更スイッチは、前扉14の背面に設けられているが（特に図示せず）、リセットスイッチとしても兼用される。
【００５０】
また、特に図示していないが設定表示器は、７セグメントの小型のＬＥＤにより、当選確率の後述する設定値を設定する際に、当該設定値を表示するものである。設定表示器には、当該遊技機10の設定値が表示されるが、外部から視認できないようにすべく、筐体12の内部、詳しくは、前扉14の背面に設けられており、設定値の設定後、その表示は解除される。
【００５１】
前記前扉14の下部に相当する筐体12の内部には、メダルを貯留することができるとともに、メダルを払い出すことができるホッパーユニット（図示せず）と、各部品に電力を供給するための電源ユニット（図示せず）とが配置されている。
この電源ユニットには、特に図示していないが、電源投入又は電源遮断のための操作が可能な電源スイッチと、設定変更処理のための設定キースイッチとが設けられている。
【００５２】
前記前扉14の下部には、所定の場合にホッパーユニットからメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル枚数が最大クレジットメダル枚数である５０枚未満の場合は、５０枚に到達するまで、獲得したメダルはメダル払出口28から払い出されずにクレジットメダル枚数に加算される。
【００５３】
本実施の形態に係る遊技機10は、ベットスイッチ32の操作又はメダル投入により所定枚数（具体的には、３枚）のメダルを投入することにより遊技の開始を可能とするものである。そして、スタートスイッチ40の押下操作により、リール62の回転を開始させて遊技が開始されるとともに、複数の役のいずれかに当選か又はハズレかの役抽選が行われる。そして、当該遊技機10は、各リール62に対応するストップスイッチ50の操作タイミング及び役抽選の結果に基づいて、リール62の回転を役抽選の結果に適合するように停止させる。当該遊技機10は、停止時の図柄61の組み合わせによって、当選した役を構成する図柄61の組み合わせが所定の有効なライン（所定の役の図柄61の組み合わせが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００５４】
この有効ライン86は、具体的には３個のリール62にそれぞれ表示されている図柄61のうち図柄表示窓部16から視認可能な図柄61を各リール62につき１個ずつ繋いでできる、複数のリール62の全てを貫くラインのうち、入賞等するために有効となる図柄61の組み合わせの並びを規定したラインである。このラインは、規定の賭け数（予め定められた数であって本実施の形態では３）のメダルをベットすることにより有効ライン86になる。
【００５５】
前扉14のうち、クレジット表示器87と払出枚数表示器88との間には、現在の演出状態が後述する「許可区間」であることを報知する区間報知ランプ79が設けられている。
【００５６】
この区間報知ランプ79は、「許可区間」に移行したことを契機に点灯される。
この区間報知ランプ79は、押し順報知の状態が「許可区間」である間は常時点灯されており、「不許可区間」に移行したことを契機にメイン制御手段により消灯される。
【００５７】
なお、区間報知ランプ79は、上述したものに限定されるものではなく、例えば、払出枚数表示器88や、クレジット表示器87の２桁の７セグメントが表示される領域内の一つのドットや点灯ランプ等により実施してもよい。
【００５８】
前記前扉14には、遊技者に役抽選の当選等の種々の情報を音や光や映像等で報知させるための演出装置70が形成されている。この演出装置70は、後述するサブ制御手段に基づいて演出を行うものであって、スピーカー72と、演出用ランプ78と、表示装置84とを備えている。
【００５９】
前記スピーカー72は、前扉14の上部左右に配置された上部スピーカー74と、前扉14の下部左右に配置された下部スピーカー76とを備えている。
【００６０】
前記演出用ランプ78は、前扉14の上部に配置された上部ランプ80と、前扉14の下部の左右に配置された下部ランプ82とを備えている。
【００６１】
前記表示装置84は、その画面に種々の映像を表示するための液晶表示装置である。
【００６２】
本実施の形態では、遊技機10の内部には、遊技機10の全体の動作を制御するための制御手段としての制御装置が形成されている。この制御装置は、遊技を進行させて遊技状態（遊技の進行）を制御するメイン制御手段（メイン制御基板や、メイン制御装置ともいう）と、このメイン制御手段から送信される情報（コマンド）を受けて、遊技の進行に応じた演出を制御し、主に遊技内容に関する情報を遊技者に報知する演出を行うための制御を行うサブ制御手段（サブ制御基板や、サブ制御装置ともいう）とを備えている。
【００６３】
図２に示すように、バー160は、前扉14の右側の背面側に固定されて、当該背面側から筐体12の奥側に向かって四角柱状に突出するように形成されている。
また、扉開閉センサ110は、筐体12の右側の側板側に固定具等により固定されている。この扉開閉センサ110には、前扉14を閉鎖した状態でバー160の下端面に向かって扉開閉センサ110から後述する付勢手段130（バネ140）（図３参照）の付勢力により上方に向かって突出する後述する突出片200（図３参照）が当接可能に形成されている。
【００６４】
本実施の形態では、前扉14が後述する規定位置より開放側にある場合、当該開放側の少なくとも一部の場所において、付勢手段130（バネ140）の付勢力により前扉14が開放方向に付勢される。
【００６５】
また、前扉14が後述する規定位置より閉鎖側にある場合、前扉14が閉鎖された閉鎖位置から後述する規定位置までの間の少なくとも一部である特別範囲において、付勢手段130（バネ140）の付勢力により前扉14が閉鎖方向に付勢される。
この特別範囲では、前扉14が閉鎖位置から規定位置へ移動するにつれて、付勢手段130（バネ140）の付勢力を漸増させるように形成されている。
【００６６】
以下、これらの具体的な内容について、図３〜図８を用いて、前扉14を開放した状態から閉鎖状態へ移動させる際のバー160と、検出片との位置関係を明確にしながら説明する。
【００６７】
図３に示す黒丸Ｂ点の位置が前扉14が規定位置にあるときの前扉14の裏面側の位置（図５参照）である。この図３に示す状態では、黒丸Ａ点の前扉14の裏面側の位置が、規定位置（Ｂ点）より開放側にある状態になっているものである。
図３では、前扉14が開放された状態であって、前扉14の背面側に固定されて、筐体12側に伸びるバー160と、扉開閉センサ110から付勢手段130（バネ140）の付勢力により上方に向かって突出する突出片200とが全く接触していない状態である。
【００６８】
なお、筐体12側には、バー160が勢いよく突出片200に衝突しないように補助的に前扉14を開放方向に押すためのバネ150が設けられている。なお、このバネ150は、扉開閉センサ110のバネ140を適度な付勢力に調整することができれば、扉開閉センサ110のバネ140により同様の作用を奏することができる場合には、特に無くてもよい。
【００６９】
バー160の長手方向の表面、具体的には下端面には、バー160の先端側から基端側に向かって第１位置Q（検出信号の切替位置）、第２位置P（最も突出する位置）、第３位置Tが、この順番に並んで配置されている。
【００７０】
また、第１位置Qのさらにバー160の先端側にはバー160の先端位置となる第４位置Sが設けられている。
さらに、バー160の下端面には、傾斜面170として第１位置Q及び第２位置Pを含む第１傾斜面180と、第２位置P及び第３位置Tを含む第２傾斜面190とが設けられている。
また、バー160の上端面161からの距離は、第１位置Q、第３位置T、第２位置Pの順に大きくなるように形成されている。
【００７１】
本実施の形態では、第１傾斜面180はバー160の先端の第４位置Sから第１位置Qを経て最も下方に突出している第２位置Pまでの緩やかに下方に向かって突出するカーブを描く傾斜曲面である。
また、第２傾斜面190は、バー160の下端面の第３位置Tから最も下方に突出している第２位置Pまでの緩やかに下方に向かって突出するカーブを描く傾斜曲面である。
【００７２】
なお、上述した第１傾斜面180と第２傾斜面190とは必ずしも傾斜曲面である必要はなく、平面を傾けた傾斜平面であってもよい。
また、第１傾斜面180と第２傾斜面190とは互いに接する第２位置Pにおいて連続する曲面を形成している。
【００７３】
突出片200は全体形状が略平板状であって、上端部はその縦断面形状が上方に向かって突出する半円状に形成されている。この突出片200の上端がバー160の傾斜面170に押圧されることで、突出片200は下方に向かって押し込まれることになる。
なお、突出片200の形状は上述したものに限定されるものではなく、円筒形状のものでもよく、また、厚みの無い薄板状のものであってもよい。
【００７４】
扉開閉センサ110は、突出片200が図５に示す規定位置の状態より下方に押し込まれると検出信号がオン状態となり、図５に示す規定位置の状態より上方に突出すると検出信号がオフ状態となるように設定されている。
この検出信号の切替位置となる規定位置は、バー160の第１傾斜面180と突出片200との接触位置が第１位置Qになるように設定されている（図５参照）。
【００７５】
バー160の第１傾斜面180と突出片200との接触位置が第１位置Qより上方にある場合、突出片200が規定位置の状態よりも上方に位置することになり扉開閉センサ110の検出信号はオフ状態となる。
また、バー160の第１傾斜面180と突出片200との接触位置が第１位置Qより下方にある場合、突出片200が規定位置の状態よりも下方に位置することになり扉開閉センサ110の検出信号はオン状態となる。
【００７６】
なお、本実施の形態では、バー160は前扉14に固定され、バネ150の筐体12の奥側端部は、筐体12に固定されており、バネ150の前扉14側の端部はバー160とは当接するだけで固定されていないが、特にこれに限定されるものではない。
【００７７】
バネ150の前扉14側がバー160の筐体12側に固定され、バー160と前扉14とは互いに固定されておらず当接するだけであり、バー160自体は前後方向に摺動可能に保持されているように形成されていてもよい。但し、そのように形成する場合には、前扉14には、例えば図９に示すような係止片や押圧片を有し、前扉14の裏面側がバー160と勘合可能に形成されてあり、バー160がバネ140の付勢力により閉鎖方向に移動させられることで前扉14も閉鎖方向に引っ張られるように形成されている必要がある。
【００７８】
次に図４に示す状態は、前扉14の裏面側の位置（黒丸Ａ点）が、規定位置（黒丸Ｂ点）より前扉14の開放側にある状態であるが、図３よりも前扉14が閉鎖方向へ移動している状態である。
【００７９】
図４に示すように、突出片200の表面がバー160の第１傾斜面180に当接している。
突出片200とバー160の第１傾斜面180との接触位置では、付勢手段130のバネ140の付勢力により、当該接触位置の第１傾斜面180に対して垂直方向に力が加わることになるが、その水平方向の分力Ｆは、バー160を前扉14の開放方向に向かって作用する。
前扉14が規定位置（図５に示す前扉14の位置）より開放側にある場合、当該開放側の少なくとも一部の場所（第１傾斜面180の第１位置Q〜第４位置S）において、付勢手段130のバネ140の付勢力により前扉14が開放方向に付勢されている。
【００８０】
ここでの「少なくとも一部の場所」とは具体的には、第１傾斜面180の第１位置Q〜第４位置Sを指すものである。ここで、第１傾斜面180の第１位置Q〜第２位置Pの場所でも、付勢手段130のバネ140の付勢力により前扉14が開放方向に付勢される。
別の言い方をすると、突出片200とバー160との接触位置が突出片200の最も上端に位置する最上端位置Vより前扉14の開放側にある場合、当該開放側の少なくとも一部の場所において、付勢手段130による付勢力に基づく力（水平方向の分力Ｆ）の作用方向は、前扉14の開放方向となる。
【００８１】
本実施の形態では、付勢手段130であるバネ140は、その付勢力により、突出片200を上方に向かって突出させる。
扉開閉センサ110は、この突出片200が進退することで検出信号の切り替えが可能に形成されている。
規定位置を含む特定範囲では、付勢手段130であるバネ140の付勢力（図４の上方向白抜き矢印の力）に基づく力（図４に示す水平方向の分力Ｆ）は同一方向に作用する。
【００８２】
具体的には、突出片200とバー160との接触位置が図５に示す第１位置Q（検出信号の切替位置）よりも上方にある場合、扉開閉センサ110は検出信号をオン状態とする。
また、突出片200とバー160との接触位置が図５に示す第１位置Q（検出信号の切替位置）よりも下方にある場合、扉開閉センサ110は検出信号をオフ状態とする。
【００８３】
突出片200とバー160との接触位置が上述した検出信号の切替位置である第１位置Qとなるような前扉14の位置が規定位置の状態となる。
本実施の形態では、この規定位置に対応する第１位置Qを含む特定範囲である突出片200とバー160との接触位置が第４位置Sから第１位置Qを経由して、第２位置Pまでとなる範囲では、付勢手段130であるバネ140に基づく水平方向の分力Ｆは、同一方向である前扉14の開放方向に作用する。
【００８４】
図５は前扉14が規定位置にあるときの状態図である。
この規定位置である状態の前後において検出信号の切替が扉開閉センサ110により行われる。
【００８５】
図６は前扉14が規定位置より閉鎖側にある状態であって、突出片200とバー160との接触位置がバー160の第１傾斜面180上における第１位置Qと第２位置Pとの間にある状態である。
【００８６】
また、突出片200とバー160との接触位置が突出片200の最上端位置Vより前扉14の開放方向側にある状態である。すなわち、図６に左方向の矢印と共に、「前扉の開放方向」を示しているが、突出片200とバー160との接触位置が、突出片200の最上端位置Vよりも左方向側の「前扉の開放方向」側にある状態である。
この状態においても、付勢手段130のバネ140の付勢力に基づく上述した水平方向の分力Ｆは前扉14を開放方向に向かっている。
【００８７】
図７は前扉14が規定位置より閉鎖側にある場合であって、前扉14が閉鎖された閉鎖位置（図８に示す位置）から規定位置（図５に示す位置）までの間の少なくとも一部である特別範囲において、付勢手段130であるバネ140の付勢力により前扉14が閉鎖方向に付勢される。
【００８８】
ここで、「特別範囲」は、突出片200とバー160との接触位置がバー160の第２傾斜面190である第２位置P〜第３位置Tとなるような前扉14の範囲となる。
また、別の言い方をすると、特別範囲は突出片200とバー160との接触位置が突出片200の表面上において最上端位置Vより前扉14の閉鎖方向側にある前扉14の範囲となる。
すなわち、突出片200とバー160との接触位置が突出片200の表面上における最上端位置Vより前扉14の閉鎖側にある場合、当該閉鎖側の少なくとも一部の場所（具体的には、第２位置P〜第３位置Tの第２傾斜面190）において、付勢手段130であるバネ140による付勢力に基づく力の水平方向の分力Ｆの作用方向は、前扉14の閉鎖方向となる。
【００８９】
この特別範囲では、前扉14が閉鎖位置から規定位置へ移動するにつれて、付勢手段130であるバネ140の付勢力（図７の上方向白抜き矢印の力）を漸増させるように形成されている。これは、前扉14が閉鎖位置から規定位置へ移動するにつれて、突出片200とバー160との接触位置が第３位置Tから第２位置Pまでの特別範囲では突出片200が下方に向かって押し込まれるものであり、付勢手段130であるバネ140の長さを短縮させることで、当該付勢力を漸増させているものである。
【００９０】
図８は前扉14が規定位置（図５の位置）より閉鎖側であって、具体的には前扉14が閉鎖位置にある状態を示す。
この閉鎖位置の状態では、突出片200とバー160との接触位置が、バー160の下端面において第３位置Tよりも前扉14側の水平面上に位置している。なお、当該水平面状の高さ方向の位置は、第３位置Tと同一高さとなっている。ここで、バー160の上端面161からの距離は、第１位置Q、第３位置T、第２位置Pの順に大きくなるように形成されている。すなわち、第３位置Tと、この第３位置Tから前扉14側のバー160の下端面とは、検出信号の切替位置に対応する第１位置Qよりも下側に位置し、第１位置Qよりも常に突出片200を下方側に押し込んでいる状態となる。当該第３位置T及び当該バー160の下端面の位置は、少々の振動等が発生して突出片200に振動が加わっても、第２位置Pの高さまでにはならないような位置に設定されていることで、振動等で検出信号が容易に切り替わらずチャタリングの発生を防止しているものである。結果として頻繁に遊技が止められる恐れがなく、通常の遊技進行に支障をきたすようなことを抑えることができる。
【００９１】
本実施の形態では、上述したような構成を有することにより、以下に示すような作用及び効果を奏する。
【００９２】
本実施の形態では、扉開閉センサ110が、前扉14の開閉に応じて規定位置で検出信号の切り替え可能である。
【００９３】
更に、前扉14が規定位置（図５に示す位置）より開放側にある場合、開放側の一部において、付勢手段130のバネ140による付勢力の作用方向が前扉14の開放方向となる。また、前扉14が規定位置（図５に示す位置）より閉鎖側にある場合、閉鎖側の一部である特別範囲（突出片200とバー160との接触位置がバー160の第２位置P〜第３位置Tの第２傾斜面190にある前扉14の範囲）において、付勢手段130による付勢力の作用方向が前扉14の閉鎖方向となる（図７参照）。
【００９４】
すなわち、前扉14が規定位置より開放側にある場合、扉開閉センサ110の切り替え位置である規定位置を超えづらく、近づき難くしている。
また、前扉14が開放側から閉鎖側に向かって規定位置を超えた後の特別範囲においては、前扉14の閉鎖方向に付勢されることで、前扉を規定位置付近に留まり難くしている。
これにより、半ドアの状態で止めることが容易ではなく、半ドアで止めた状態での不正行為の発生を抑えることができる。
【００９５】
また、前扉14が規定位置より閉鎖側にある場合、前扉14が閉鎖位置から規定位置までの少なくとも一部である特別範囲では、付勢手段130の付勢力により前扉14が閉鎖方向に付勢されることで、前扉14を規定位置へ移動し難くしている。
これにより、振動等によるチャタリングの発生を抑えることができ、正常状態でも頻繁に遊技が止められる恐れがなく、通常の遊技進行に支障をきたすようなことを抑えることができる。
【００９６】
さらに、特別範囲では、前扉14が閉鎖位置から規定位置へ移動するにつれて、付勢手段130の付勢力を漸増させる。
これにより、特別範囲では、前扉14を閉鎖位置から規定位置へ移動させるにつれて、前扉14を閉鎖方向に付勢する力を漸増させることになる。すなわち、特別範囲では、前扉14を閉鎖位置から規定位置へ移動させるにつれて、規定位置へ前扉14を近づけるほど、前扉14を元の閉鎖位置へ戻そうとする付勢力が漸増し、規定位置へ近づけることをより難しくすることができる。
【００９７】
本実施の形態では、扉開閉センサ110が、前扉14の開閉に応じて規定位置で検出信号の切り替え可能である。
また、突出片200とバー160との接触位置が所定の位置である図５に示す第１位置Qとなることで前記検出信号が切り替わるように形成されている。
すなわち、前扉14が規定位置（図５に示す前扉14の位置）にあるときに、突出片200とバー160との接触位置が所定の位置であることになる。
【００９８】
更に、突出片200とバー160との接触位置が前記所定の位置である第１位置Qより開放側にある場合、具体的には当該接触位置が図５の第１位置Qより左側にある場合、開放側の少なくとも一部の場所である第１位置Q〜第４位置Sに当該接触位置があるときにおいて、付勢手段130によるバネ140の付勢力に基づく力の作用方向が前扉14の開放方向となる（図４参照）。
【００９９】
また、突出片200とバー160との接触位置が前記所定の位置である図５に示す第１位置Qより前扉14の閉鎖側にある場合、閉鎖側の少なくとも一部の場所において、付勢手段130による付勢力に基づく力の作用方向が前扉14の閉鎖方向となる。
【０１００】
また、突出片200とバー160との接触位置が所定の位置である図５に示す第１位置Qより開放側にある場合、少なくとも一部の場所において、振動等で扉開閉センサ110の切り替え位置となる所定の位置を超えづらく、近づき難くしている（図４参照）。
すなわち、傾斜面170においては、第２位置Pを基準にして、前扉14の閉鎖方向か開放方向かのどちらかの方向に常に付勢力がかかっているため、前扉14を半ドア状態にすることが難しくなっているものである。
これにより、半ドアの状態で止めることが容易ではなく、半ドアで止めた状態での不正行為の発生を抑えることができる。
【０１０１】
また、突出片200とバー160との接触位置が所定の位置である図５に示す第１位置Qより閉鎖側にある場合、その閉鎖側の少なくとも一部の場所（接触位置が第２傾斜面190上の第２位置P〜第３位置Tとなる範囲）において、付勢手段130の付勢力に基づく力の作用方向が、前扉14の閉鎖方向なることで、検出信号の切替位置となる所定の位置へ移動し難くなるようにしている（図７参照）。
【０１０２】
本実施の形態では、第１傾斜面180では、バー160の先端から基端側に向かってバー160の上端面161からの距離が大きくなる方向に傾斜していることになる。したがって、前扉14を閉鎖方向に移動させると突出片200は、第１傾斜面180において、バー160の上端面161から離れる方向に移動する。
【０１０３】
一方、第２傾斜面190では、バー160の先端から基端側に向かってバー160の上端面161からの距離が小さくなる方向に傾斜していることになる。したがって、前扉14を閉鎖方向に移動させると突出片200は、第２傾斜面190において、バー160の上端面161へ近づく方向に移動する。
【０１０４】
本実施の形態では、第１傾斜面180では、バー160の先端から基端側に向かってバー160の上端面161からの距離が大きくなる方向に傾斜していることになる。バー160の第１傾斜面180に突出片200が当接すると、この当接した箇所では付勢手段130であるバネ140による付勢力に基づく力は、前扉14の開放方向となる。これにより、第１傾斜面180に突出片200が当接すると付勢力により前扉14を開放方向に押すことができる。
【０１０５】
また、第２傾斜面190では、バー160の先端から基端側に向かってバー160の上端面161からの距離が小さくなる方向に傾斜していることになる。バー160の第２傾斜面190に突出片200が当接すると、この当接した箇所では付勢手段130による付勢力に基づく力は、前扉14の閉鎖方向となる。これにより、第２傾斜面190に突出片200が当接すると付勢力により前扉14を閉鎖方向に押すことができる。
【０１０６】
本実施の形態では、前扉14を閉鎖方向に移動させると、傾斜面170（第１傾斜面180又は第２傾斜面190）において、突出片200を進退させ、検出信号の切り替えが可能となる。
【０１０７】
本実施の形態に係る規定位置を含む特定範囲では、付勢手段130のバネ140の付勢力（例えば図５の上方向白抜き矢印の力）に基づく水平方向の分力Ｆは、常に同一方向である前扉14の開放方向に作用している。
【０１０８】
なお、「規定位置」とは、前扉14の開閉に応じて扉開閉センサ110の検出信号の切り替えが可能な位置であって、前扉14が図５に示されるような位置にあるものであって、突出片200とバー160との接触位置が第１位置Qにある状態を意味する。
また、ここで、「規定位置を含む特定範囲」とは、図４〜図６に示すように、突出片200とバー160との接触位置が第２位置P〜第１位置Q〜第４位置Sの範囲にあるものである。
【０１０９】
本実施の形態では、規定位置を含む特定範囲では、付勢手段130であるバネ140の付勢力に基づく力が同一方向に作用する。すなわち、扉開閉センサ110の検出信号の切り替えが行われる規定位置の前後で付勢手段130の付勢力が切り替わることなく同一方向となる。これにより、検出信号の切替が行われる規定位置の前後で付勢手段130であるバネ140による付勢力の方向が切り替わるようなものと比較して検出信号の切り替えをスムーズに行うことができ、規定位置前後で振動等により検出信号の切り替えが頻繁に発生するようないわゆるチャタリングの発生を抑えることができる。
【０１１０】
上述した実施の形態では、バー160が前扉14側に設けられ、進退可能な突出片200を有する扉開閉センサ110が筐体12側に設けられているが、特にこれに限定されるものではない。例えば、バー160が筐体12側に設けられ、進退可能な突出片200を有する扉開閉センサ110が前扉14側に設けられてもよいものである。その場合でも上述したものと同様の作用及び効果を奏するものである。
【０１１１】
（第２の実施の形態）
図９は、第２の実施の形態であって、扉開閉センサ310とバー320とが一体となって、バー320と前扉14とが勘合可能になっているものを示す説明図であり、図１０（Ａ）〜（Ｂ）は、図９に示すバー320が前扉14に押されて扉開閉センサ310の開口312の中に押し込まれていく状態を示している。
【０１１２】
本実施の形態では、扉開閉センサ310が筐体12に固定されてあり、この扉開閉センサ310からバー320が進退可能に形成されている。そして、この前扉14を閉鎖方向に移動させると、前扉14の裏面側に設けられている押圧片360がバー320を押し込むものである。押し込まれたバー320の距離が所定量を超えると扉開閉センサ310により検出信号がオフ状態からオン状態になるものである。
【０１１３】
具体的には、このバー320には、付勢手段130であるバネ340及びバネ341により上下方向に移動する２個の突出片330が設けられている。この上側の突出片330は、バネ340の上端が固定されている。なお、バネ340の下端はバー320内部に固定されている。下側の突出片330は、バネ341の下端が固定されている。なお、バネ341の下端はバー320内部に固定されている。前扉14を筐体12側に向かって閉鎖方向に移動させると、バー320が前扉14の押圧片360により押し込まれて扉開閉センサ310の開口312の内部に入り込み可能に形成されている。上側の突出片330は、開口312の上縁に当接してバー320の内部の下方側に押し込まれ、下側の突出片330は、開口312の下縁に当接してバー320の内部の上方側に押し込まれるように形成されている。
バー320の上端面に設けた突出片330には縦断面形状が半楕円状となる上方に向かって突出する傾斜面365が形成されている。この傾斜面365は、図９に示す傾斜面365の右側に位置して縦断面形状が楕円の外周面の一部である第３傾斜面370と、図９に示す傾斜面365の左側に位置して縦断面形状が楕円の外周面の一部である第４傾斜面380とを有している。
また、バー320の下端面に設けた突出片330にも同様に縦断面形状が半楕円状となる下方に向かって突出する傾斜面365が形成されている。この下端面側の傾斜面365にも、上端面側の傾斜面365と同様に、第３傾斜面370及び第４傾斜面380が設けられている。
【０１１４】
本実施の形態に係る規定位置は、上側の突出片330の長手方向の中央位置であって最も上側の位置と、下側の突出片330の長手方向の中央位置であって最も下側の位置とを結ぶ鉛直方向の仮想ラインＷが、開口312の縁に移動してきたときの前扉14の位置に設定されている。この仮想ラインＷが開口312より扉開閉センサ310の内部に入り混んでいる状態において検出信号はオン状態となり、仮想ラインＷが開口312から扉開閉センサ310の外部に出ている状態において検出信号はオフ状態となるように設定されている。
【０１１５】
さらに、本実施の形態では、バー320が扉開閉センサ310の内部に進退可能に組み込まれて一体となっているものである。押圧片360とバー320が当接した状態で、前扉14を閉鎖方向に移動すると、前扉14の裏面側に設けられている係止片350がバー320の上部の切欠部322に入り込むように形成されている。
特に図示していないが、この係止片350は、バー320が適当な位置、具体的には図９に示すようなバー320が前扉14側に一杯に伸びている位置で前扉14のヒンジの回転角度に連動して勘合／解除する機構に形成されている。
係止片350が切欠部322に入り込んだ状態でバー320が付勢手段130であるバネ340の付勢力により扉開閉センサ310の内部に入り混む方向（図９の右方向）に移動させられると、その移動に伴って前扉14を閉鎖方向に移動させることが可能となるように形成されているものである。
【０１１６】
図１０（Ａ）に示すように、突出片330の第３傾斜面370と開口312の上縁が当接するまでバー320が開口312内部に押し込まれると、付勢手段130のバネ340の付勢力（図中の白抜き矢印）により開口312の上縁側の斜め上方方向に押し込む力が加わる。扉開閉センサ310は筐体12に固定されていることで移動せず、その反力が突出片330側に加わり、その水平方向の分力Ｆが突出片330及びバー320を前扉14の開放方向へ押す力として加わることになる。
【０１１７】
図１０（Ｂ）も（Ａ）と同様の方向の力Ｆが加わるが、バー320が更に筐体12側に押し込まれて、図１０（Ｃ）に示すように突出片330の長手方向の中央位置である仮想ラインＷが開口312の上縁の位置に到達すると、この状態の前扉14の位置が、いわゆる検出信号の切替が行われる規定位置となるものである。なお、図９に示す傾斜面365は、仮想ラインＷの右側に第３傾斜面370が設けられ、仮想ラインＷの左側に第４傾斜面380が設けられていることになる。さらに、バー320が押し込まれて図１０（Ｄ）に示すように突出片330の長手方向の中央位置である仮想ラインＷが開口312の上縁よりも前扉14の閉鎖方向に移動し、突出片330の第４傾斜面380と開口312の上縁が当接すると、付勢手段130であるバネ340の付勢力による力の反力の水平方向分力は図１０（Ｄ）に示すようにバー320を開口312内部に押し込む方向に加わる。その際、バー320の先端側は係止片350により前扉14とも勘合されていることで、当該付勢力によって前扉14を閉鎖方向に移動させることが可能となる。
【０１１８】
本実施の形態では、前扉14が規定位置より開放側にある場合、規定位置を境として、付勢手段130であるバネ340の付勢力により前扉14が開放方向に付勢可能となる（図１０（Ａ）（Ｂ）参照）。
一方、前扉14が規定位置より閉鎖側にある場合、当該規定位置を境として、付勢手段130でありバネ340の付勢力により前扉14が閉鎖方向に付勢可能となる。
【０１１９】
本実施の形態では、規定位置を境として、前扉14が開放側にある場合は、付勢手段130の付勢力が前扉14を開放方向に付勢し、前扉14が閉鎖側にある場合は、付勢手段130の付勢力が前扉14を閉鎖方向に付勢する。
すなわち、前扉14が規定位置より開放側にある場合、扉開閉センサ310の切り替え位置である規定位置を超えづらく、近づき難くしている。
また、前扉14が開放側から閉鎖側に向かって規定位置を超えている場合、前扉14の閉鎖方向に付勢されることで、前扉を規定位置付近へ留まり難くしている。
これにより、第１の実施の形態と同様の効果を奏するものであり、半ドアの状態で止めることが容易ではなく、半ドアで止めた状態での不正行為の発生を抑えることができる。
【０１２０】
また、前扉14が規定位置より閉鎖側にある場合には、前扉14を規定位置付近へ移動し難くすることができ、前扉14が規定位置付近で前後することや振動等によるチャタリングで検出信号の切替位置を超えて正常状態でも頻繁に遊技が止められる恐れがなく、通常の遊技進行に支障をきたすようなことを抑えることができる。
【０１２１】
なお、本実施の形態ではバーの進退の量によって検出信号の切替を実行しているが、必ずしもこれに限定されるものではなく、第１の実施の形態と同様に、突出片の上下方向の移動量を接触センサ等により検出することで当該突出片の移動量により検出信号の切替を実行するようにしてもよい。
なお、その他の構成は第１の実施の形態と同様であって、同様の作用及び効果を奏する。
【０１２２】
（第３の実施の形態）
本実施の形態では、図１１に示すように、前扉14に固定されたバー420の半円状の斜面に突出片450が当接可能であると共に突出片450とは別に扉開閉センサ410を設けたものである。
【０１２３】
本実施の形態では、筐体12に扉開閉センサ410が固定されており、この扉開閉センサ410はバネ412により付勢されて進退可能なセンサ進退片414を有している。前扉14を閉鎖方向に回転移動させると、前扉14の裏面側に固定されているバー420が、センサ進退片414に当接して、センサ進退片414を扉開閉センサ410の本体内部に押し込む。予め定められた所定距離だけ押し込まれると、検出信号の切替が行われるように設定されている。
【０１２４】
バー420の下端面には縦断面形状が半円状となる下方に向かって突出している傾斜面425が形成されている。この傾斜面425は、縦断面形状が半円状であって、その半円の筐体12側の中心角度９０度の４分の１円の外周面である第５傾斜面430と、その半円の前扉14側の中心角度９０度の４分の１円の外周面である第６傾斜面440とを有している。
【０１２５】
バー420の下には、バー420の傾斜面425に対して付勢手段130であるバネ460の付勢力によって上方に突出することで当接可能な突出片450が設けられている。この突出片450の上端は、バー420の下端の傾斜面425と同様の形状であって、上方に向かって突出する縦断面形状が半円状に形成されている。バー420の傾斜面425と、突出片450の上部との接触位置が前扉14の位置によって変動することになる。その際、付勢手段130であるバネ460の付勢力により、バー420の傾斜面425と、突出片450の上部との接触位置が第５傾斜面430上にある場合には、当該付勢力に基づく上方向の力（図１１中の白抜き矢印）に基づく水平方向の分力Ｆが、図１１に示すように第１の実施の形態と略同様に作用する。
【０１２６】
一方、更に前扉14が閉鎖方向に移動して、特に図示していないが、バー420の第６傾斜面440と、突出片450の上部とが接触すると、バネ460の付勢力に基づく上方向の力に基づく水平方向の分力Ｆ（図示せず）が、第１の実施の形態と略同様にバー420の第６傾斜面440を前扉14の閉鎖方向に押すことになる。
【０１２７】
バー420の傾斜面425と、突出片450の上部との接触位置が、バー420の傾斜面425の最も下方の位置、具体的には第５傾斜面430と第６傾斜面440との境界の位置を通る鉛直線上にあるときの前扉14の位置が扉開閉センサ410の検出信号の切替が行われる規定位置として設定されている。
【０１２８】
本実施の形態では、第２の実施の形態と同様に、規定位置を境として、前扉14が開放側にある場合は、付勢手段130の付勢力が前扉14を開放方向に付勢し、前扉14が閉鎖側にある場合は、付勢手段130の付勢力が前扉14を閉鎖方向に付勢する。
すなわち、前扉14が規定位置より開放側にある場合、扉開閉センサ410の切り替え位置である規定位置を超えづらく、近づき難くしている。
また、前扉14が開放側から閉鎖側に向かって規定位置を超えた後の特別範囲においては、前扉14の閉鎖方向に付勢されることで、前扉を規定位置付近に留まり難くしている。
これにより、第１の実施の形態と同様の効果を奏するものであり、半ドアの状態で止めることが容易ではなく、半ドアで止めた状態での不正行為の発生を抑えることができる。
【０１２９】
また、前扉14が規定位置より閉鎖側にある場合には、前扉14を規定位置へ移動し難くすることができ、振動等によるチャタリングで検出信号の切替位置を超えて正常状態でも頻繁に遊技が止められる恐れがなく、通常の遊技進行に支障をきたすようなことを抑えることができる。
なお、その他の構成は第１の実施の形態と同様であって、同様の作用及び効果を奏する。
【符号の説明】
【０１３０】
10  遊技機                              12  筐体
14  前扉                                16  図柄表示窓部
20  上パネル                            22  下パネル
24  ホッパーユニット                    26  メダル受け皿
28  メダル払出口                        30  操作部
32  ベットスイッチ                      34  マックスベットスイッチ
35  １ベットスイッチ                    36  精算スイッチ
37  鍵部                                38  メダル投入口
40  スタートスイッチ                    42  チャンスボタン
43  電源ユニット                        44  電源スイッチ
50  ストップスイッチ                    L  左ストップスイッチ
C  中ストップスイッチ                   R  右ストップスイッチ
60  リールユニット                      61  図柄
62  リール                              64  左リール
66  中リール                            68  右リール
70  演出装置                            72  スピーカー
74  上部スピーカー                      76  下部スピーカー
78  演出用ランプ                        79  区間報知ランプ
80  上部ランプ                          82  下部ランプ
84  表示装置                            86  有効ライン
87  クレジット表示器                    88  払出枚数表示器
110  扉開閉センサ                      120  報知手段
130  付勢手段                          140  バネ
150  バネ                              160  バー
161  上端面                            170  傾斜面
180  第１傾斜面                        190  第２傾斜面
Q  第１位置                            P  第２位置
T  第３位置                            S  第４位置
V  最上端位置                          200  突出片
310  扉開閉センサ                      312  開口
320  バー                              322  切欠部
330  突出片                            340  バネ
350  係止片                            360  押圧片
365  傾斜面                            370  第３傾斜面
380  第４傾斜面                        410  扉開閉センサ
412  バネ                              414  センサ進退片
420  バー                              425  傾斜面
430  第５傾斜面                        440  第６傾斜面
450  突出片                            460  バネ
【図１】
2019097679.tif 000003
【図２】
2019097679.tif 000004
【図３】
2019097679.tif 000005
【図４】
2019097679.tif 000006
【図５】
2019097679.tif 000007
【図６】
2019097679.tif 000008
【図７】
2019097679.tif 000009
【図８】
2019097679.tif 000010
【図９】
2019097679.tif 000011
【図１０】
2019097679.tif 000012
【図１１】
2019097679.tif 000013
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
遊技機において、筐体と、前記筐体の正面側を開閉可能な前扉と、
前記前扉の開閉に応じた規定位置で検出信号の切り替えが可能な扉開閉センサと、
前記検出信号の切り替わりを基に、前記前扉の開放を報知する報知手段と、
前記前扉に対して、付勢力を与える付勢手段とを備え、
前記前扉が前記規定位置より開放側にある場合、当該開放側の少なくとも一部の場所において、前記付勢手段の付勢力により前記前扉が開放方向に付勢され、
前記前扉が前記規定位置より閉鎖側にある場合、前記前扉が閉鎖された閉鎖位置から前記規定位置までの間の少なくとも一部である特別範囲において、前記付勢手段の付勢力により前記前扉が閉鎖方向に付勢され、
前記特別範囲では、前記前扉が前記閉鎖位置から前記規定位置へ移動するにつれて、前記付勢手段の付勢力を漸増させるように形成され、
前記前扉又は前記筐体のうちいずれか一方には、周囲に傾斜面を有して前記筐体側に延びるバーが設けられ、
前記扉開閉センサは、前記前扉又は前記筐体のうち他方に設けられ、
前記前扉の開閉に応じて前記バー又は前記扉開閉センサが移動し前記扉開閉センサは当該移動を検出することで検出信号の切り替えが可能に形成され、
前記前扉と前記筐体とのうち前記バーを設けていない方には、前記前扉の開閉に応じて前記バーの前記傾斜面に接触することで前記付勢手段により進退可能な突出片が設けられ、
前記突出片と前記バーとの接触位置が所定の位置となることで前記検出信号が切り替わるように形成され、
前記突出片と前記バーとの接触位置が前記所定の位置より前記前扉の開放側にある場合、当該開放側の少なくとも一部の場所において、前記付勢手段による付勢力に基づく力の作用方向は、前記前扉の開放方向となり、
前記突出片と前記バーとの接触位置が前記所定の位置より前記前扉の閉鎖側にある場合、当該閉鎖側の少なくとも一部の場所において、前記付勢手段による付勢力に基づく力の作用方向は、前扉の閉鎖方向となるように形成されていることを特徴とする遊技機。
【請求項２】
前記バーの長手方向の表面には、
前記バーの先端側から基端側に向かって第１位置、第２位置、第３位置の順に配置されると共に、
前記傾斜面として前記第１位置及び前記第２位置を含む第１傾斜面と前記第２位置及び前記第３位置を含む第２傾斜面とが設けられ、
前記バーの上端面からの距離は、前記第１位置、前記第３位置、前記第２位置の順に大きくなるように形成されていることを特徴とする請求項１に記載の遊技機。
【請求項３】
前記付勢手段は、付勢力により、前記突出片を突出させることを特徴とする請求項１又は請求項２に記載の遊技機。
【請求項４】
前記扉開閉センサは、前記突出片が進退することで前記検出信号の切り替えが可能に形成されていることを特徴とする請求項２又は請求項３に記載の遊技機。
【請求項５】
前記規定位置を含む特定範囲では、前記付勢手段の付勢力に基づく力は同一方向に作用することを特徴とする請求項１、２、３又は４に記載の遊技機。
【請求項６】
前記前扉が前記規定位置より開放側にある場合、前記規定位置を境として、前記付勢手段の付勢力により前記前扉が開放方向に付勢可能となり、
前記前扉が前記規定位置より閉鎖側にある場合、当該規定位置を境として、前記付勢手段の付勢力により前記前扉が閉鎖方向に付勢可能となることを特徴とする請求項１に記載の遊技機。
【手続補正２】
【補正対象書類名】明細書
【補正対象項目名】０００６
【補正方法】変更
【補正の内容】
【０００６】
本発明に係る遊技機10は、次の点を特徴とする。すなわち、筐体12と、前記筐体12の正面側を開閉可能な前扉14と、前記前扉14の開閉に応じた規定位置で検出信号の切り替えが可能な扉開閉センサ110と、前記検出信号の切り替わりを基に、前記前扉14の開放を報知する報知手段120と、前記前扉14に対して、付勢力を与える付勢手段130（具体的には、バネ140）とを備え、前記前扉14が前記規定位置より開放側にある場合、当該開放側の少なくとも一部の場所において、前記付勢手段130の付勢力により前記前扉14が開放方向に付勢され、前記前扉14が前記規定位置より閉鎖側にある場合、前記前扉14が閉鎖された閉鎖位置から前記規定位置までの間の少なくとも一部である特別範囲において、前記付勢手段130の付勢力により前記前扉14が閉鎖方向に付勢され、前記特別範囲では、前記前扉14が前記閉鎖位置から前記規定位置へ移動するにつれて、前記付勢手段130の付勢力（具体的には例えば図７の上方向白抜き矢印の力）を漸増させるように形成され、前記前扉14又は前記筐体12のうちいずれか一方には、周囲に傾斜面170を有して前記筐体12側に延びるバー160が設けられ、前記扉開閉センサ110は、前記前扉14又は前記筐体12のうち他方に設けられ、前記前扉14の開閉に応じて前記バー160又は前記扉開閉センサ110が移動し前記扉開閉センサ110は当該移動を検出することで検出信号の切り替えが可能に形成され、前記前扉14と前記筐体12とのうち前記バー160を設けていない方には、前記前扉14の開閉に応じて前記バー160の前記傾斜面170に接触することで前記付勢手段130により進退可能な突出片200が設けられ、前記突出片200と前記バー160との接触位置が所定の位置となることで前記検出信号が切り替わるように形成され、前記突出片200と前記バー160との接触位置が前記所定の位置より前記前扉14の開放側にある場合、当該開放側の少なくとも一部の場所において、前記付勢手段130による付勢力に基づく力（具体的には例えば分力Ｆ）の作用方向は、前記前扉14の開放方向となり、前記突出片200と前記バー160との接触位置が前記所定の位置より前記前扉14の閉鎖側にある場合、当該閉鎖側の少なくとも一部の場所（具体的には例えば第２位置P〜第３位置Tの傾斜面170）において、前記付勢手段130による付勢力に基づく力（具体的には例えば分力Ｆ）の作用方向は、前扉14の閉鎖方向となるように形成されていることを特徴とする。
【手続補正３】
【補正対象書類名】明細書
【補正対象項目名】００１１
【補正方法】削除
【補正の内容】